(57)【要約】      （修正有）【課題】電磁波を遮蔽できる非動力式治療用マットレスを提供する。【解決手段】保温層１１と、非動力式エネルギー層１２と、電磁波防護層１４と、換気層１３と、を備える。特に、電磁波防護層１４によって、環境に含まれる有害な電磁波を有効に遮蔽または吸収できるほか、地球磁場に対抗できるため、使用者の体の磁場を安定させ、使用の際は快適でしかも重く感じなることない、有効に血液循環を促進し、だるい痛みを軽減し、新陳代謝を高め、細胞を活性化させると同時に睡眠の品質を高めるなどの効果を有する。【選択図】図２
0003186622.tif 000002
【実用新案登録請求の範囲】
【請求項１】
電磁波を遮蔽できる非動力式治療用マットレスであって、
保温層１１と、
前記保温層１１の上方に覆い被せて、細胞の活性化を促進する遠赤外線が放出される非動力式エネルギー層１２と、
前記非動力式エネルギー層１２の上方に覆い被せる換気層１３と、
前記非動力式エネルギー層１２の上方に覆い被せていて、かつ前記非動力式エネルギー層１２と前記換気層１３との間に位置し、前記非動力式エネルギー層１２の充填物変位を防げると共に、電磁波の遮蔽効果を有する電磁波防護層１４と、を備えることを特徴とする、
電磁波を遮蔽できる非動力式治療用マットレス。
【請求項２】
前記非動力式エネルギー層１２は粉末金属の混練材料が造粒、紡糸、機織り加工を経て形成されることを特徴とする請求項１記載の電磁波を遮蔽できる非動力式治療用マットレス。
【請求項３】
粉末金属の混練材料はチタン、ゲルマニウム、亜鉛、銅、銀、アルミ、マグネシウムおよび前述いずれか２種以上の材料より混合されたものであることを特徴とする請求項２記載の電磁波を遮蔽できる非動力式治療用マットレス。
【請求項４】
前記電磁波防護層１４に磁気金属複合材が混合されていることを特徴とする請求項１記載の電磁波を遮蔽できる非動力式治療用マットレス。
【請求項５】
磁気金属複合材は銅、銀、ニッケル、金、コバルト、ステンレス、磁粉および前述いれか２種以上の材料より混合されたものであることを特徴とする請求項４記載の電磁波を遮蔽できる非動力式治療用マットレス。
【請求項６】
前記電磁波防護層１４は少なくとも一つの非金属複合材料を紡糸、機織り加工プロセスからなることを特徴とする請求項１記載の電磁波を遮蔽できる非動力式治療用マットレス。
【請求項７】
前記非金属複合材はグラファイト、磁粉と、竹炭とを含めることを特徴とする請求項６記載の電磁波を遮蔽できる非動力式治療用マットレス。
【請求項８】
前記非動力式エネルギー層１２と、前記電磁波防護層１４との間に覆い被せる吸湿排汗フィルム１５をさらに含めることを特徴とする請求項１記載の電磁波を遮蔽できる非動力式治療用マットレス。
【請求項９】
前記保温層と、前記非動力式エネルギー層と、前記換気層と、前記電磁波防護層とを互いに覆い被せた後にバイアステープを用いて、前記保温層と、前記非動力式エネルギー層と、前記換気層と、前記電磁波防護層の縁部を縫製することを特徴とする請求項１記載の電磁波を遮蔽できる非動力式治療用マットレス。
【考案の詳細な説明】
【技術分野】
【０００１】
本案は非動力式エネルギーパッドに関し、特に環境に含まれる有害電磁波を有効に遮って地球磁場に対抗できるため、使用者の体の磁場を安定させ環境の影響を与えない、健康を促進する、電磁波を遮蔽できる非動力式治療用マットレスに関する。
使用の際は快適感を有し重く感じることがない、有効に血液循環を促進する、だるい痛みを軽減する、新陳代謝を高める、細胞を活性化させると同時に睡眠の品質を高めるなどの効果を有する。
【背景技術】
【０００２】
今日の、科学技術が日進月歩で発達している社会において、家庭で良く見かける扇風機、電子レンジ、そして人々が手にとっている携帯電話機など、我々の暮らしの中はすでに様々な電気用品で満ちあふれている。
しかし、使用されているすべての電気製品からは電磁波が出されている。電磁波は人の体にとって有害なほか、免疫機能を低下させ、最悪の場合は細胞の分裂を妨害し、ガン、白血病、脳腫瘍などの疾病を引き起こさせる。そのため、体の被害を軽減し電磁波を遮ることは、現在の重要課題になっている。
【０００３】
よって、紡績業界から一種の軟質の電磁波遮蔽構造が開発され、すでにふとん、衣類、皮革、人造皮革などに適用されている。図１の、公知の軟質の電磁波遮蔽構造１’を参照する。第１基材１１’と、マイナスイオンエネルギー層１２’と、遠赤外線エネルギー層１３’と、電磁波遮蔽層１５’と、第２基材１６’とを備える。
【０００４】
マイナスイオンエネルギー層１２’は第１基材１１’の上方に位置し、遠赤外線エネルギー層１３’はマイナスイオンエネルギー層１２’の上方に位置し、電磁波遮蔽層１５’は遠赤外線エネルギー層１３’の上方に位置し、第２基材１６’は電磁波遮蔽層１５’の上方に位置して、多数層の軟質の電磁波遮蔽層構造を形成する。第１基材１１’と第２基材１６’の外側には例えば、表面に図案または文字をつけるなど、美観または広告効果を達成できる。
前述のマイナスイオンエネルギー層１２’は体に有益なマイナスイオン１０００〜２０００  ｉｏｎｓ／ｃ．ｃ．を放出でき、遠赤外線エネルギー層１３’は体に有益な光波９０％以上を放出できる。さらに、マイナスイオンエネルギー層１２’と、遠赤外線エネルギー層１３’から放出されるマイナスイオンは、電磁波が形成する正イオンの中和に用いられ、電磁波がもたらす体への危害防止を強化する効果がある。
このほか、軟質の電磁波遮蔽構造１’は電磁誘導層１４’をさらに有し、電磁誘導層１４’は遠赤外線エネルギー層１３’と電磁波遮蔽層１５’との間に位置しており、電磁誘導層１４’は電磁誘導の金属粉末を含み、電磁誘導の金属粉末は電磁波の軽減に用いられる。
【考案の概要】
【考案が解決しようとする課題】
【０００５】
前述の構造から軟質の電磁波遮蔽構造１’は体に害する電磁波を有効に遮蔽できるのみならず、体に有益な遠赤外線とマイナスイオンとを提供できる。しかし、このような効果を備えていても、軟質の電磁波遮蔽構造１’の構造が複雑すぎて、製造が困難である。さらに、軟質の電磁波遮蔽構造１’を布団または衣類に適用した場合は、布団や衣類が厚く重すぎて、快適感を欠き、洗濯、収納に不便をきたす恐れがある。
【課題を解決するための手段】
【０００６】
前述のとおり、公知の軟質の電磁波遮蔽構造には多くの欠点が存在するため、考案人が研究開発を努力した結果、本案の電磁波を遮蔽できる非動力式治療用マットレスを考案した。
本案は体を害する電磁波を有効に遮蔽できるほか、地球磁場に対抗できるため、環境の影響を受けることなく、体の磁場を安定し、健康を促進すると共に、細胞を活性化し、血液循環を促進し、しかも使用のときに厚く重くなく、睡眠の質を向上できる。
【０００７】
本案の主な目的は、電磁波を遮蔽できる非動力式治療用マットレスを提供することである。本案を適用すれば、体を害する電磁波を有効に遮蔽できるほか、地球磁場に対抗できるため、環境の影響を受けることなく、体の磁場が安定し健康を促進すると共に、細胞を活性化し、血液循環を促進し、だるい痛みを軽減し、新陳代謝をよくし、しかも使用のときに厚く重くなく、睡眠の質を向上できる。
【０００８】
前述の目的を達成するため、本案の電磁波を遮蔽できる非動力式治療用マットレスを提供する。
【０００９】
本案の電磁波を遮蔽できる非動力式治療用マットレスは、保温層と、保温層の上方を覆い被せていて、細胞の活性化を促進する遠赤外線が放出される非動力式エネルギー層と、非動力式エネルギー層の上方を覆い被せる換気層と、非動力式エネルギー層を覆い被せていて、電磁波の遮蔽効果を有し、非動力エネルギー層の充填物変位を防げる電磁波防護層と、を備える。
【００１０】
さらに、電磁波防護層の設置位置が異なる、本案の電磁波を遮蔽できる非動力式治療用マットレスの第２実施例と第３実施例とを提供する。
そのうち、本案の電磁波を遮蔽できる非動力式治療用マットレスの第２実施例は、保温層と、保温層の上方を覆い被せていて、細胞を活性化させる遠赤外線を放出する非動力式エネルギー層と、非動力式エネルギー層の上方を覆い被せる換気層と、非動力式エネルギー層と換気層との間を覆い被せていて、電磁波の遮蔽効果を有する電磁波防護層と、を備える。
【００１１】
さらに、本案の電磁波を遮蔽できる非動力式治療用マットレスの第３実施例は、保温層と、保温層の上方を覆い被せていて、細胞を活性化させる遠赤外線を放出する非動力式エネルギー層と、非動力式エネルギー層の上方に覆い被せる換気層と、換気層に混入させ、電磁波の遮蔽効果を有する電磁波防護層とを備える。
【考案の効果】
【００１２】
本案の電磁波を遮蔽できる非動力式治療用マットレスは以下の長所を有する。
【００１３】
イ、本案の電磁波を遮蔽できる非動力式治療用マットレスは、環境に含まれる電磁波の干渉を有効に遮って、使用者の地球磁界の対抗を助けて、磁場とオーラフィールドとを安定させ、血液循環を促進し、だるい痛みを軽減し、新陳代謝を促進すると共に、体を健康に維持する効果を有する。
【００１４】
ロ、本案の電磁波を遮蔽できる非動力式治療用マットレスの電磁波防護層の構成は単純であるため、ふとんの厚さや重さは増加されない。
【００１５】
ハ、本案の電磁波を遮蔽できる非動力式治療用マットレスは、環境に含まれる電磁波を遮ると共にコンパクト性を有し、電源を頼らずに遠赤外線を放出できるため、使用者の微血管を拡大し、血液循環を促進すると共に細胞の活性化を促すことにより、使用者の体温を１．３℃上昇させ、体の温熱感効果を有する。よって、本案の電磁波を遮蔽できる非動力式治療用マットレスは従来の電気毛布に取り代わって、グリーンエネルギーの毛布やふとんに使用することができる。
【図面の簡単な説明】
【００１６】
【図１】公知の軟質電磁波遮蔽構造を示す図である。
【図２】本案の電磁波を遮蔽できる非動力式治療用マットレスの第１実施例の側断面図である。
【図３】電磁波を遮蔽できる非動力式治療用マットレスの第１実施例の断面拡大図である。
【図４】本案の電磁波を遮蔽できる非動力式治療用マットレスの第２実施例の側断面図である。
【図５】本案の電磁波を遮蔽できる非動力式治療用マットレスの第３実施例の側断面拡大図である。
【図６】本案の電磁波を遮蔽できる非動力式治療用マットレスの第３実施例の側断面図である。
【図７】本案の電磁波を遮蔽できる非動力式治療用マットレスの第４実施例の側断面拡大図である。
【考案を実施するための形態】
【００１７】
本案の電磁波を遮蔽できる非動力式治療用マットレスをより詳しく説明するため、図面と合わせて本案の好ましい実施例を以下のとおり、詳細に説明する。
【実施例１】
【００１８】
図２の、本案の電磁波を遮蔽できる非動力式治療用マットレス第１実施例の側断面図を参照する。図２に示すように、本案の電磁波を遮蔽できる非動力式治療用マットレス１は、保温層１１と、非動力式エネルギー層１２と、換気層１３と、電磁波防護層１４と、を備える。
【００１９】
引き続き図２を参照する。電磁波を遮蔽できる非動力式治療用マットレス１の構造は下から上方に順を追って、保温層１１と、電磁波防護層１４と、非動力式エネルギー層１２と、電磁波防護層１４と、換気層１３より構成されている。
そのうち、保温層１１は、吸湿、温度の拡散および伝送機能を有しており、保温層１１を体に覆い被せることによって、肌に快適な触感を与えると共に、保温防寒の効果を有する。さらに、非動力式エネルギー層１２は金属粉末の混合物が造粒、紡糸、機織り加工などの生産プロセスを経て形成される。そのうち、金属粉末はチタン、ゲルマニウム、亜鉛、銅、銀、アルミニウム、マグネシウムおよび以上いずれか２種または以上の金属混合物を含む。
このように、非動力式エネルギー層１２から放出される遠赤外線が使用者の肌に刺激を与えて、使用者の微細血管を拡大させ、血液循環を促進し、細胞を活性化させ、新陳代謝をよくする機能を備えている。特に、非動力式エネルギー層１２は平均０．８５以上の活性化輻射率を有する。
【００２０】
特に重要な点は、本案の電磁波を遮蔽できる非動力式治療用マットレス１の第１実施例において、電磁波防護層１４は主に充填物変位を防げる生地材質から作られるほか、生産プロセスに磁性金属複合材例えば、銅、銀、ニッケル、金、コバルト、ステンレス、磁粉その他の金属または前記２種以上の混合物を嵌め込み、植え込みまたは覆い被せる方式により繊維に結合させているため、織物の電磁波防護層１４は非動力式エネルギー層１２に充填物変位を防げると共に電磁波の遮蔽効果を有するという点である。
図２に示すように、電磁波防護層１４によって非動力式エネルギー層１２が覆われており、側断面図を見たときには上下２層の電磁波防護層１４が見られる。これにより、使用者が本案の電磁波を遮蔽できる非動力式治療用マットレス１を体に被せて置くと、遠赤外線による微血管の拡大、血液循環の促進、細胞の活性化のほか、電磁波防護層１４は環境に含まれる電磁波の干渉を有効に遮って、使用者の地球磁界の対抗を助けて、磁場とオーラフィールド（ａｕｒａ  ｆｉｅｌｄ）とを安定し、体の健康を維持できる。
さらに、換気層１３は良好な換気性と排汗効果とを有し、さわやかな乾きと保温機能を備えており、使用者にべたつきのような不快感を与えず、睡眠の質を向上できる。
【００２１】
そのほか、補足説明することは、自然界にはすでに電磁波の遮蔽機能を持つ非金属材が存在している。一例として、グラファイトと、磁粉と、竹炭がある。それらの電磁遮蔽効果を持つ非金属材が同じく前述の方法により、電磁波防護層１４に結合させても、電磁遮蔽機能が得られる。
引き続き図３の、本案の電磁波を遮蔽できる非動力式治療用マットレスの第１実施例の断面拡大図を参照する。そのうち、図３に示すように、電磁波を遮蔽できる非動力式治療用マットレス１はさらなる良い換気性、防風、撥水効果を図るため、非動力式エネルギー層１２と、換気層１３との間に吸湿排汗機能フィルム１５を覆い被せて置き、吸湿排汗機能フィルム１５には１平方インチあたりに９０億個の水滴より２０，０００倍小さく、水分子より７００倍大きい微細孔を分布しているため、吸湿排汗機能フィルム１５は防水かつ防風機能を有するほか、汗がより簡単に発散でき、換気層１３の機能を強化できる。
【実施例２】
【００２２】
このほか、電磁波防護層１４の被覆位置が異なることによって、電磁波を遮蔽できる非動力式治療用マットレスの第２実施例が提供されている。図４の、本案の電磁波を遮蔽できる非動力式治療用マットレスの第２実施例の側断面図を参照する。
図４に示すように、本案の電磁波を遮蔽できる非動力式治療用マットレス１の第２実施例は、保温層１１と、非動力式エネルギー層１２と、換気層１３と、電磁波防護層１４と、を備える。そのうち、第２実施例における各層の特性、性能、部材及び縫製方式は前述した第１実施例と同じため、ここでの説明を省略する。
そのうち、前述の第１実施例と異なる点として、電磁波を遮蔽できる非動力式治療用マットレス１の第２実施例の構成は下から上方に順を追って、保温層１１と、非動力式エネルギー層１２と、電磁波防護層１４と、換気層１３より構成していて、かつ非動力式エネルギー層１２と換気層１３との間には、一層の電磁波防護層１４のみが含まれている。
同じく、電磁波を遮蔽できる非動力式治療用マットレス１の換気、防風、撥水効果を増強するには、例えば非動力式エネルギー層１２と換気層１３との間に吸湿排汗機能フィルム１５を覆い被せても良い。
【実施例３】
【００２３】
さらに、電磁波防護層１４を換気層１３に混合することもできる。そのため、本案は電磁波を遮蔽できる非動力式治療用マットレス１の第３実施例をさらに提供する。図５の、本案の電磁波を遮蔽できる非動力式治療用マットレスの第３実施例の側面拡大図を参照する。
図５に示すように、本案の電磁波を遮蔽できる非動力式治療用マットレス１の第３実施例は、保温層１１と、非動力式エネルギー層１２と、換気層１３と、電磁波防護層１４と、を備える。そのうち、第３実施例における各層の特性、性能、部材及び縫製方式は前述した実施例と同じため、ここでの説明を省略する。
そのうち、前述の実施例と異なる点は、電磁波を遮蔽できる非動力式治療用マットレス１の第３実施例の構成は、下から上方に順を追って、保温層１１と、非動力式エネルギー層１２と、換気層１３より構成されている点である。
電磁波防護層１４は磁気金属、グラファイト、または竹炭などのナノパウダーを用いて、嵌め込み、植え込みまたは覆い被せるなどの方式により、換気層１３の繊維に結合して置き、直接に換気層１３にて電磁波防護層１４を形成する。
【００２４】
さらに図６の、本案の電磁波を遮蔽できる非動力式治療用マットレスの第３実施例の側断面図を参照する。非動力式エネルギー層１２の充填物変位を避けるため、非動力式エネルギー層１２と換気層１３との間に充填物変位防止層１６を追設して、充填物変位の発生を軽減する。
同じく、例えば非動力式エネルギー層１２と換気層１３との間に吸湿排汗機能フィルム１５を覆い被せて置き、電磁波を遮蔽できる非動力式治療用マットレス１の換気、防風と、撥水効果を増強することができる。
【実施例４】
【００２５】
さらに、図７の本案の電磁波を遮蔽できる非動力式治療用マットレスの第４実施例の側断面図を参照する。電磁波を遮蔽できる非動力式治療用マットレス１を製造するときには、吸湿排汗機能フィルム１５と換気層１３とを一つの吸湿排汗換気層１７に整合した上、電磁波防護層１４を吸湿排汗換気層１７の上方に覆い被せることにより、もう一つの実施形態を形成する。
【符号の説明】
【００２６】
１            電磁波を遮蔽できる非動力式治療用マットレス
１１            保温層
１２            非動力式エネルギー層
１３            換気層
１４            電磁波防護層
１５            吸湿排汗機能フィルム
１６            充填物変位防止層
１７            吸湿排汗換気層
１’            軟質の電磁波遮蔽構造
１１’            第１基材
１２’            マイナスイオンエネルギー層
１３’            遠赤外線エネルギー層
１４’            磁気誘導層
１５’            電磁波遮蔽層
１６’            第２基材
【図１】
0003186622.tif 000003
【図２】
0003186622.tif 000004
【図３】
0003186622.tif 000005
【図４】
0003186622.tif 000006
【図５】
0003186622.tif 000007
【図６】
0003186622.tif 000008
【図７】
0003186622.tif 000009